【事件の表示】
　特許第２８９２８０６号「電子スチル・カメラ」の請求項１ないし８に係る特許に対する特許異議の申立てについて、次のとおり決定する。
【結　論】
　訂正を認める。
　特許第２８９２８０６号の請求項１ないし８に係る特許を維持する。
【理　由】
［１］手続の経緯
　本件特許２８９２８０６号の発明は、平成２年９月２８日に特許出願され、平成１１年２月２６日にその特許の設定登録がなされ、その後、金子和弘より特許異議の申立がなされ、取消理由が通知され、その指定期間内に訂正請求がなされた後、該訂正請求は取り下げられ、再度通知された取消理由通知の指定期間内である平成１２年８月２日に訂正請求がなされたものである。
　
［２］訂正の適否についての判断
［２−１］訂正明細書の発明
　訂正明細書の特許請求の範囲の請求項１〜８に係る発明は、その特許請求の範囲の請求項１〜８に記載された次のとおりのものである。
「【請求項１】情報記憶場所としてのクラスタが複数個設けられている記憶媒体に画像データを記憶するものであり，撮影された各画像に撮影の順序にしたがって連続番号がパケット番号として割り当てられ，１画像の画像データが１パケットとして１または複数個のクラスタにわたって記憶される電子スチル・カメラにおいて，再生モード・スイッチ，上記再生モード・スイッチからの入力信号に応答して，指定された１パケット分の画像データを上記記憶媒体から読出して再生画像信号として出力する再生制御手段，上記再生制御手段によって出力されている画像信号の上記パケット番号を表すデータを出力するパケット番号データ出力手段，記録チェック・モード・スイッチ，および上記記録チェック・モード・スイッチからの入力信号に応答して，最後に撮影された最終使用パケット番号の画像データを含む再生画像信号を出力するとともに，上記最終パケット番号を含むデータを出力する記録チェック制御手段を備え，上記再生モード・スイッチまたは上記記録チェック・モード・スイッチが押されると，出力されている画像信号に対応するパケット番号または最終使用パケット番号が表示され，上記再生モード・スイッチまたは上記記録チェック・モード・スイッチが押されなければ演算された記録可能枚数を表示する数値表示部，をさらに備えていることを特徴とする電子スチル・カメラ。
【請求項２】撮影モードにおいて，情報記憶場所としてのクラスタが複数個設けられている記憶媒体に画像データを記憶するときに，撮影した各画像に撮影の順序を示す連続番号をパケット番号として割り当て，１画像の画像データを１パケットとして１または複数個のクラスタにわたって記憶し，再生モードにおいては上記記憶媒体に記憶されている画像データを読出して再生画像信号として出力する電子スチル・カメラにおいて，再生モード・スイッチと，上記再生モード・スイッチにより再生モードに入ったときに，最後に撮影した画像の画像データを上記記憶媒体から読出して再生画像信号として出力するとともに，上記画像データに対応する最終パケット番号を表すデータを出力し，パケット番号の指定があったときに指定された１パケット分の画像データを上記記億媒体から読出して再生画像信号として出力するとともに，出力した再生画像信号のパケット番号を表すデータを出力するように制御する再生制御手段と，消去指令が入力されたことに応答して，再生画像信号として出力されている画像データを上記記憶媒体から消去するように制御する消去制御手段とを備え，上記再生モード・スイッチが押され再生モードに入ったときに，最終パケット番号を表示し，上記再生モード・スイッチが押されなければ演算された記録可能枚数を表示する数値表示部，をさらに備えていることを特徴とする電子スチル・カメラ。
【請求項３】上記パケット番号および上記画像データによって表わされる画像のうちの少なくとも一方を表示する表示装置をさらに備えた請求項１または２に記載の電子スチル・カメラ。
【請求項４】撮影により得られた各画像に撮影の順序に応じて識別番号を割り当て，各画像の画像データを記憶媒体に記憶する電子スチル・カメラにおいて，再生モード・スイッチ，上記再生モード・スイッチからの入力信号に応答して，指定された画像の画像データを上記記憶媒体から読出して再生画像信号として出力する再生制御手段，上記再生制御手段によって出力されている画像信号の上記識別番号を表すデータを出力する識別番号データ出力手段，記録チェック・モード・スイッチ，および上記記録チェック・モード・スイッチからの入力信号に応答して，最後の撮影によって得られた画像データを含む再生画像信号を出力するとともに，最後に撮影された画像の識別番号を含むデータを出力する記録チェック制御手段を備え，上記再生モード・スイッチまたは上記記録チェック・モード・スイッチが押されると，出力されている画像信号に対応する識別番号または最後に撮影された画像の識別番号が表示され，上記再生モード・スイッチまたは上記記録チェック・モード・スイッチが押されなければ演算された記録可能枚数を表示する数値表示部，をさらに備えていることを特徴とする電子スチル・カメラ。
【請求項５】撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，再生モード・スイッチと，上記再生モード・スイッチにより，再生モードに入ったときに，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段と，消去指令が入力されたことに応答して，再生画像信号として出力されている画像データを上記記憶媒体から消去するように制御する消去制御手段とを備え，上記再生モード・スイッチが押され再生モードに入ったときに，最後に撮影した画像の識別番号を表示し，上記再生モード・スイッチが押されなければ演算された記録可能枚数を表示する数値表示部，をさらに備えていることを特徴とする電子スチル・カメラ。
【請求項６】撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，再生モード・スイッチ，およびこの再生モード・スイッチからの入力信号に応答して再生モードに入り，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段を備え，上記再生モード・スイッチが押され再生モードに入ったときに，最後に撮影した画像の識別番号を表示し，上記再生モード・スイッチが押されなければ演算された記録可能枚数を表示する数値表示部，をさらに備えていることを特徴とする電子スチル・カメラ。
【請求項７】上記識別番号および上記画像データによって表わされる画像のうちの少なくとも一方を表示する表示装置をさらに備えた請求項４，５または６に記載の電子スチル・カメラ。
【請求項８】上記記憶媒体が，電子スチル・カメラに着脱自在なメモリ・カードである，請求項１，２，４，５または６に記載電子スチル・カメラ。」
　
［２−２］訂正の目的の適否、新規事項の有無及び拡張・変更の存否
　特許権者が求めている訂正の内容は、以下のとおりである。
（ａ）請求項１を訂正明細書の請求項１に訂正する。
（ｂ）請求項２を訂正明細書の請求項２に訂正する。
（ｃ）請求項４を訂正明細書の請求項４に訂正する。
（ｄ）請求項５を訂正明細書の請求項５に訂正する。
（ｅ）請求項６を訂正明細書の請求項６に訂正する。
（ｆ）発明の詳細な説明の記載の「第１の発明は、・・・特徴とする。」（特許公報４欄４８行〜５欄１５行）を「第１の発明は情報記憶場所としてのクラスタが複数個設けられている記憶媒体に画像データを記憶するものであり、撮影された各画像に撮影の順序にしたがって連続番号がパケット番号として割り当てられ、１画像の画像データが１パケットとして１または複数個のクラスタにわたって記憶される電子スチル・カメラにおいて、再生モード・スイッチ、上記再生モード・スイッチからの入力信号に応答して、指定された１パケット分の画像データを上記記憶媒体から読出して再生画像信号として出力する再生制御手段、上記再生制御手段によって出力されている画像信号の上記パケット番号を表すデータを出力するパケット番号データ出力手段、記録チェック・モード・スイッチ、および上記記録チェック・モード・スイッチからの入力信号に応答して、最後に撮影された最終使用パケット番号の画像データを含む再生画像信号を出力するとともに、上記最終パケット番号を含むデータを出力する記録チェック制御手段を備え、上記再生モード・スイッチまたは上記記録チェック・モード・スイッチが押されると、出力されている画像信号に対応するパケット番号または最終使用パケット番号が表示され、上記再生モード・スイッチまたは上記記録チェック・モード・スイッチが押されなければ演算された記録可能枚数を表示する数値表示部をさらに備えていることを特徴とする。」と訂正する。
（ｇ）発明の詳細な説明の記載の「第２の発明は、・・・特徴とする。」（特許公報５欄３３行〜６欄１行）を「第２の発明は、撮影モードにおいて、情報記憶場所としてのクラスタが複数個設けられている記憶媒体に画像データを記憶するときに、撮影した各画像に撮影の順序を示す連続番号をパケット番号として割り当て、１画像の画像データを１パケットとして１または複数個のクラスタにわたって記憶し、再生モードにおいては上記記憶媒体に記憶されている画像データを読出して再生画像信号として出力する電子スチル・カメラにおいて、再生モード・スイッチと、上記再生モード・スイッチにより再生モードに入ったときに、最後に撮影した画像の画像データを上記記憶媒体から読出して再生画像信号として出力するとともに、上記画像データに対応する最終パケット番号を表すデータを出力し、パケット番号の指定があったときに指定された１パケット分の画像データを上記記憶媒体から読出して再生画像信号として出力するとともに、出力した再生画像信号のパケット番号を表すデータを出力するように制御する再生制御手段と、消去指令が入力されたことに応答して、再生画像信号として出力されている画像データを上記記憶媒体から消去するように制御する消去制御手段とを備え、上記再生モード・スイッチが押され再生モードに入ったときに、最終パケット番号を表示し、上記再生モード・スイッチが押されなければ演算された記録可能枚数を表示する数値表示部をさらに備えていることを特徴とする。」と訂正する。
　以下、検討する。
　訂正事項（ａ）は、特許明細書の発明の詳細な説明の「数値表示部ｃには記録枚数、記録可能枚数、パケット番号などが表示される。」（特許公報９欄４２行〜４３行）、及び特許公報１１欄１７行〜２３行、特許公報１２欄１３行〜４４行ならびに第６図および第１６図の記載に基いて、特許明細書の請求項１において、「上記再生モード・スイッチまたは上記記録チェック・モード・スイッチが押されると、出力されている画像信号に対応するパケット番号または最終使用パケット番号が表示され、上記再生モード・スイッチまたは上記記録チェック・モード・スイッチが押されなければ演算された記録可能枚数を表示する数値表示部」を備えているという限定をしたものであるから、特許請求の範囲の減縮を行うものである。
　訂正事項（ｂ）は、上記訂正事項（ａ）と同様の記載に基づいて、特許明細書の請求項２において、「上記再生モード・スイッチが押され再生モードに入ったときに、最終パケット番号を表示し、上記再生モード・スイッチが押されなければ演算された記録可能枚数を表示する数値表示部」を備えているという限定をしたものであるから、特許請求の範囲の減縮を行うものである。
　訂正事項（ｃ）は、上記訂正事項（ａ）と同様の記載に基づいて、特許明細書の請求項４において、「上記再生モード・スイッチまたは上記記録チェック・モード・スイッチが押されると、出力されている画像信号に対応する識別番号または最後に撮影された画像の識別番号が表示され、上記再生モード・スイッチまたは上記記録チェック・モード・スイッチが押されなければ演算された記録可能枚数を表示する数値表示部」を備えているという限定をしたものであるから特許請求の範囲の減縮を行うものである。
　訂正事項（ｄ）は、上記訂正事項（ａ）と同様の記載に基づいて、特許明細書の請求項５において、「上記再生モード・スイッチが押され再生モードに入ったときに、最後に撮影した画像の識別番号を表示し、上記再生モード・スイッチが押されなければ演算された記録可能枚数を表示する数値表示部」を備えているという限定をしたものであるから特許請求の範囲の減縮を行うものである。
　訂正事項（ｅ）は、上記訂正事項（ａ）と同様の記載に基づいて、特許明細書の請求項６において、「上記再生モード・スイッチが押され再生モードに入ったときに、最後に撮影した画像の識別番号を表示し、上記再生モード・スイッチが押されなければ演算された記録可能枚数を表示する数値表示部」を備えているという限定をしたものであるから特許請求の範囲の減縮を行うものである。
　訂正事項（ｆ）（ｇ）は、特許請求の範囲の訂正にともない、対応する箇所を訂正するものであり、明りょうでない記載の釈明に該当する。
　訂正明細書の請求項３，７，８は、請求項１，２，４，５，６を引用する請求項であるので、実質的にもとの請求項３，７，８の減縮を行なうものである。
　したがって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。
　
［２−３］独立特許要件の判断
［２−３−１］引用刊行物
　本件発明に対して、当審が通知した取消理由で引用した刊行物１（特開昭６２−１１３７４号公報）には、「電子スチルカメラ」に関して、
　「１画面分の画像信号が磁気ディスク２３に円状の記録トラックを形成しながら記録され」（５頁右上欄７〜８行）、
　「記録トラック選択ボタン１８ａ，１８ｂのうちの一方１８ａがトラックアップ用のものであり、他方の１８ｂがトラックダウン用のものである。」（４頁右下欄３〜６行）、
　「１５は再生ボタンであり」（４頁左下欄１０〜１１行）、
　「再生ボタン１５を押す。・・・磁気ディスク２３に記録された画像信号等が入力されることになり、その画像信号に基づく画像がブラウン管４０の蛍光面に表示されることになる。」（９頁左下欄７〜１３行）、
　「再生しようとする画像等が記録されたトラック選択ボタン１８ａ，１８ｂを操作して選択する。これによって、必要なトラック番号が、例えば、ブラウン管４０の蛍光面の片隅に表示される」（９頁右上欄１９行〜左下欄４行）、
　「今記録されたばかりの画像等を再生しようとするときは、トラックを選択する必要が無いので、再生ボタン１５を押すだけで、直ちに再生が行なわれることになる。・・・記録終了後、殆ど時間的な間を置くことなく今記録されたばかりの画像を見、あるいは音声を聞くことができる。」（９頁左下欄１４〜２０行）、
　「磁気ディスク２３に記録された画像の消去は、・・・消去ボタン１６を押す。・・・その画像信号等が消去される。」（９頁右下欄１〜１０行）と記載されている。
　また、同じく引用した刊行物２（特開昭６３−２８６０７７号公報）には、「撮影した静止画像を表すディジタル画像データを着脱自在なメモリ・カートリッジに記録するディジタル電子スチル・カメラ・・・を含む画像データ記録装置」（１頁右下欄６〜１２行）に関し、
　「画像データの記録ごとにインクリメントされる記録順序コードが画像データを記録したときにその記録画像データに対応して記憶される」（２頁左下欄９〜１２行）、
　「記録画像データに対して連続番号の記録順序コードが付けられると、これらの記録データを記録の順序にしたがって読出しかつ表示することが容易となる。」（５頁右下欄１３〜１６行）、
　「記録順序コードも画像の一部に重畳して表示される。」（５頁右下欄１〜２行）と記載されている。　　
　また、同じく引用した刊行物３（特開昭６４−１９４４３号公報）には、クラスタ構造を用いて記憶媒体に記憶することが記載されている。
［２−３−２］対比・判断
［２−３−２−１］請求項１について
　請求項１に係る発明と、刊行物１に記載された発明と対比すると、刊行物１記載の「磁気ディスク」「記録トラックのトラック番号」「再生ボタン」は、請求項１に係る発明の「記憶媒体」「パケット番号」「再生モード・スイッチ、記録チェック・モード・スイッチ」に対応し、両者は、記憶媒体に画像データを記憶するものであり、各画像に番号が割り当てられて記憶される電子スチルカメラにおいて、再生時に指定された番号の画像データを記憶媒体から読み出して再生画像信号として出力する制御手段と、最後に撮影された最終の画像データを含む再生画像信号を出力する制御手段を備えているという、基本的な点で共通している。
　しかしながら、請求項１に係る発明は、表示に関し、「再生モード・スイッチまたは記録チェック・モード・スイッチが押されると、出力されている画像信号に対応するパケット番号または最終使用パケット番号が表示され、上記再生モード・スイッチまたは上記記録チェック・モード・スイッチが押されなければ演算された記録可能枚数を表示する数値表示部、をさらに備えている」構成（以下、「構成Ａ」という）」を、必須の構成要件とするのに対して、刊行物１には、トラック番号がブラウン管に表示されると記載されているのみで、上記構成Ａに対応するものは記載されていない。
　また、上記刊行物２には、メモリカートリッジに画像データを記憶する際の記録順序コード（本件の「パケット番号」に対応）について記載されているが、電子スチルカメラの表示部の上記構成Ａについて何ら記載されていない。また、記憶媒体のクラスタ構造に関する引用例である刊行物３にも、電子スチルカメラの表示部の上記構成Ａについて何ら記載されていない。
　してみると、上記構成Ａが刊行物のいずれにも記載されていない以上、刊行物１に記載された発明と刊行物２，３に記載された発明を組み合わせても、請求項１に係る発明の必須の構成である構成Ａを想到することは、当業者にとって困難というべきである。
　そして、上記構成Ａにより、請求項１に係る発明は、電子スチルカメラの数値表示部に、記録可能枚数、出力画像信号に対応するパケット番号または最終使用パケット番号とが表示されるという効果を奏するものである。
　よって、請求項１に係る発明が刊行物１に記載された発明であるとも、刊行物１に記載された発明および刊行物２および３に記載された発明から容易に発明をすることができたものともいえない。
［２−３−２−２］請求項２について
　請求項２に係る発明と、刊行物１に記載された発明と対比すると、両者は、記憶媒体に画像データを記憶するものであり、各画像に番号が割り当てられて記憶される電子スチルカメラにおいて、再生時に、最後に撮影された最終の画像データを含む再生画像信号を出力し、番号の指定があったときには、指定された番号の画像データを記憶媒体から読み出して再生画像信号として出力する制御手段を備えているという、基本的な点で共通している。
　しかしながら、請求項２に係る発明は、表示に関し、「再生モード・スイッチが押され再生モードに入ったときに、最終パケット番号を表示し、上記再生モード・スイッチが押されなければ演算された記録可能枚数を表示する数値表示部、をさらに備えている」構成（以下、「構成Ｂ」という）」を、必須の構成要件とするのに対して、刊行物１には、トラック番号がブラウン管に表示されると記載されているのみで、上記構成Ｂに対応するものは記載されていない。
　してみると、上記請求項１について検討したと同様の理由で、請求項２に係る発明が刊行物１に記載された発明であるとも、刊行物１に記載された発明および刊行物２および３に記載された発明から容易に発明をすることができたものともいえない。
［２−３−２−３］請求項３について　
　請求項３に係る発明は、請求項１または２を引用するものであるので、上記請求項１及び２についてと同様である。
［２−３−２−４］請求項４について
　請求項４に係る発明と、刊行物１に記載された発明と対比すると、刊行物１記載の「磁気ディスク」「記録トラックのトラック番号」「再生ボタン」は、請求項１に係る発明の「記憶媒体」「識別番号」「再生モード・スイッチ、記録チェック・モード・スイッチ」に対応し、両者は、記憶媒体に画像データを記憶するものであり、各画像に識別番号が割り当てられて記憶される電子スチルカメラにおいて、再生時に指定された識別番号の画像データを記憶媒体から読み出して再生画像信号として出力する制御手段と、最後に撮影された最終の画像データを含む再生画像信号を出力する制御手段を備えているという、基本的な点で共通している。
　しかしながら、請求項４に係る発明は、表示に関し、「再生モード・スイッチまたは記録チェック・モード・スイッチが押されると、出力されている画像信号に対応する識別番号または最後に撮影された画像の識別番号が表示され、上記再生モード・スイッチまたは上記記録チェック・モード・スイッチが押されなければ演算された記録可能枚数を表示する数値表示部、をさらに備えている」構成（以下、「構成Ｃ」という）」を、必須の構成要件とするのに対して、刊行物１には、トラック番号がブラウン管に表示されると記載されているのみで、上記構成Ｃに対応するものは記載されていない。
　してみると、上記請求項１について検討したと同様の理由で、請求項４に係る発明が刊行物１に記載された発明であるとも、刊行物１に記載された発明および刊行物２および３に記載された発明から容易に発明をすることができたものともいえない。
［２−３−２−５］請求項５について
　請求項５に係る発明と、刊行物１に記載された発明と対比すると、両者は、記憶媒体に画像データを記憶するものであり、各画像に識別番号が割り当てられて記憶される電子スチルカメラにおいて、再生時に、最後に撮影された最終の画像データを含む再生画像信号を出力し、識別番号の指定があったときには、指定された識別番号の画像データを記憶媒体から読み出して再生画像信号として出力する制御手段を備えているという、基本的な点で共通している。
　しかしながら、請求項５に係る発明は、表示に関し、「再生モード・スイッチが押され再生モードに入ったときに、最後に撮影した画像の識別番号を表示し、上記再生モード・スイッチが押されなければ演算された記録可能枚数を表示する数値表示部、をさらに備えている」構成（以下、「構成Ｄ」という）」を、必須の構成要件とするのに対して、刊行物１には、トラック番号がブラウン管に表示されると記載されているのみで、上記構成Ｄに対応するものは記載されていない。
　してみると、上記請求項１について検討したと同様の理由で、請求項５に係る発明が刊行物１に記載された発明であるとも、刊行物１に記載された発明および刊行物２および３に記載された発明から容易に発明をすることができたものともいえない。
［２−３−２−６］請求項６について
　請求項５についてと同様の理由により、請求項６に係る発明は、刊行物１に記載された発明であるとも、刊行物１に記載された発明および刊行物２および３に記載された発明から容易に発明をすることができたものともいえない。
［２−３−２−７］請求項７について　
　請求項７に係る発明は、請求項４、５または６を引用するものであるので、上記請求項４，５，６，についてと同様である。
［２−３−２−８］請求項８について　
　請求項８に係る発明は、請求項１、２、４，５または６を引用するものであるので、上記請求項１、２，４，５，６についてと同様である。
［２−３−３］
　したがって、請求項１〜８に係る発明は特許出願の際独立して特許を受けることができない発明とすることはできない。
　
［２−４］　以上のとおりであるから、上記訂正請求は、特許法第１２０条の４第２項及び第３項で準用する特許法第１２６条第２項ないし第４項、及び特許法等の一部を改正する法律（平成６年法律第１１６号）附則第６条第１項の規定に適合するので、当該訂正を認める。
　
［３］特許異議の申立についての判断
［３−１］申立の理由の概要
　申立人は、特許明細書の請求項１ないし８に係る発明の特許に対して、甲第１号証（上記刊行物１）および甲第２号証（上記刊行物２）を提出し、請求項１ないし８に係る発明についての特許は、特許法第２９条第１項第３号または第２項の規定に違反してなされたものであるので、特許を取り消すべきものと主張している。
　
［３−２］判断
　特許明細書の請求項１ないし８に係る発明は、訂正により、これを限定して、訂正明細書の請求項１ないし８に係る発明のとおりとなったので、上記［２−３−２］で判断したように、甲第１号証に記載された発明と同一ではなく、甲第１号証及び甲第２号証に記載された発明に基づいて容易に発明をすることができたものではない。
　
［４］むすび
　以上のとおりであるから、特許異議申立の理由及び証拠によっては、本件請求項１ないし８に係る発明の特許を取り消すことはできない。
　また、他に本件請求項１ないし８に係る発明の特許を取り消すべき理由を発見しない。
　よって、結論のとおり決定する。
【異議決定日】
平成１２年８月１５日（２０００．８．１５）
【訂正の要旨】
▲１▼訂正事項ａ
　特許請求の範囲の請求項１の
　「情報記憶場所としてのクラスタが複数個設けられている記憶媒体に画像データを記憶するものであり，撮影された各画像に撮影の順序にしたがって連続番号がパケット番号として割り当てられ，１画像の画像データが１パケットとして１または複数個のクラスタにわたって記憶される電子スチル・カメラにおいて，
　再生モード・スイッチ，
　上記再生モード・スイッチからの入力信号に応答して，指定された１パケット分の画像データを上記記憶媒体から読出して再生画像信号として出力する再生制御手段，
　上記再生制御手段によって出力されている画像信号の上記パケット番号を表すデータを出力するパケット番号データ出力手段，
　記録チェック・モード・スイッチ，および
　上記記録チェック・モード・スイッチからの入力信号に応答して，最後に撮影された最終使用パケット番号の画像データを含む再生画像信号を出力するとともに，上記最終パケット番号を含むデータを出力する記録チェック制御手段，
　を備えていることを特徴とする電子スチル・カメラ。」を，
特許請求の範囲の減縮を目的として，
　「情報記憶場所としてのクラスタが複数個設けられている記憶媒体に画像データを記憶するものであり，撮影された各画像に撮影の順序にしたがって連続番号がパケット番号として割り当てられ，１画像の画像データが１パケットとして１または複数個のクラスタにわたって記憶される電子スチル・カメラにおいて，
　再生モード・スイッチ，
　上記再生モード・スイッチからの入力信号に応答して，指定された１パケット分の画像データを上記記憶媒体から読出して再生画像信号として出力する再生制御手段，
　上記再生制御手段によって出力されている画像信号の上記パケット番号を表すデータを出力するパケット番号データ出力手段，
　記録チェック・モード・スイッチ，および
　上記記録チェック・モード・スイッチからの入力信号に応答して，最後に撮影された最終使用パケット番号の画像データを含む再生画像信号を出力するとともに，上記最終パケット番号を含むデータを出力する記録チェック制御手段を備え，
　上記再生モード・スイッチまたは上記記録チェック・モード・スイッチが押されると，出力されている画像信号に対応するパケット番号または最終使用パケット番号が表示され，上記再生モード・スイッチまたは上記記録チェック・モード・スイッチが押されなければ演算された記録可能枚数を表示する数値表示部，
　をさらに備えていることを特徴とする電子スチル・カメラ。」と訂正し，新たな請求項１とする。
▲２▼訂正事項ｂ
　特許請求の範囲の請求項２の
　「撮影モードにおいて，情報記憶場所としてのクラスタが複数個設けられている記憶媒体に画像データを記憶するときに，撮影した各画像に撮影の順序を示す連続番号をパケット番号として割り当て，１画像の画像データを１パケットとして１または複数個のクラスタにわたって記憶し，再生モードにおいては上記記憶媒体に記憶されている画像データを読出して再生画像信号として出力する電子スチル・カメラにおいて，
　再生モードに入ったときに，最後に撮影した画像の画像データを上記記憶媒体から読出して再生画像信号として出力するとともに，上記画像データに対応する最終パケット番号を表すデータを出力し，パケット番号の指定があったときに指定された１パケット分の画像データを上記記憶媒体から読出して再生画像信号として出力するとともに，出力した再生画像信号のパケット番号を表すデータを出力するように制御する再生制御手段と，
　消去指令が入力されたことに応答して，再生画像信号として出力されている画像データを上記記憶媒体から消去するように制御する消去制御手段とを設けたことを特徴とする電子スチル・カメラ。」を，
特許請求の範囲の減縮を目的として，
　「撮影モードにおいて，情報記憶場所としてのクラスタが複数個設けられている記憶媒体に画像データを記憶するときに，撮影した各画像に撮影の順序を示す連続番号をパケット番号として割り当て，１画像の画像データを１パケットとして１または複数個のクラスタにわたって記憶し，再生モードにおいては上記記憶媒体に記憶されている画像データを読出して再生画像信号として出力する電子スチル・カメラにおいて，
　再生モード・スイッチと，
　上記再生モード・スイッチにより再生モードに入ったときに，最後に撮影した画像の画像データを上記記憶媒体から読出して再生画像信号として出力するとともに，上記画像データに対応する最終パケット番号を表すデータを出力し，パケット番号の指定があったときに指定された１パケット分の画像データを上記記憶媒体から読出して再生画像信号として出力するとともに，出力した再生画像信号のパケット番号を表すデータを出力するように制御する再生制御手段と，
　消去指令が入力されたことに応答して，再生画像信号として出力されている画像データを上記記憶媒体から消去するように制御する消去制御手段とを備え，
　上記再生モード・スイッチが押され再生モードに入ったときに，最終パケット番号を表示し，上記再生モード・スイッチが押されなければ演算された記録可能枚数を表示する数値表示部，
　をさらに備えていることを特徴とする電子スチル・カメラ。」と訂正し，新たな請求項２とする。
▲３▼訂正事項ｃ
　特許請求の範囲の請求項４の
　「撮影により得られた各画像に撮影の順序に応じて識別番号を割り当て，各画像の画像データを記憶媒体に記憶する電子スチル・カメラにおいて，
　再生モード・スイッチ，
　上記再生モード・スイッチからの入力信号に応答して，指定された画像の画像データを上記記憶媒体から読出して再生画像信号として出力する再生制御手段，
　上記再生制御手段によって出力されている画像信号の上記識別番号を表すデータを出力する識別番号データ出力手段，
　記録チェック・モード・スイッチ，および
　上記記録チェック・モード・スイッチからの入力信号に応答して，最後の撮影によって得られた画像データを含む再生画像信号を出力するとともに，最後に撮影された画像の識別番号を含むデータを出力する記録チェック制御手段，
　を備えていることを特徴とする電子スチル・カメラ。」を，
特許請求の範囲の減縮を目的として，
　「撮影により得られた各画像に撮影の順序に応じて識別番号を割り当て，各画像の画像データを記憶媒体に記憶する電子スチル・カメラにおいて，
　再生モード・スイッチ，
　上記再生モード・スイッチからの入力信号に応答して，指定された画像の画像データを上記記憶媒体から読出して再生画像信号として出力する再生制御手段，
　上記再生制御手段によって出力されている画像信号の上記識別番号を表すデータを出力する識別番号データ出力手段，
　記録チェック・モード・スイッチ，および
　上記記録チェック・モード・スイッチからの入力信号に応答して，最後の撮影によって得られた画像データを含む再生画像信号を出力するとともに，最後に撮影された画像の識別番号を含むデータを出力する記録チェック制御手段を備え，
　上記再生モード・スイッチまたは上記記録チェック・モード・スイッチが押されると，出力されている画像信号に対応する識別番号または最後に撮影された画像の識別番号が表示され，上記再生モード・スイッチまたは上記記録チェック・モード・スイッチが押されなければ演算された記録可能枚数を表示する数値表示部，
　をさらに備えていることを特徴とする電子スチル・カメラ。」と訂正し，新たな請求項４とする。
▲４▼訂正事項ｄ
　特許請求の範囲の請求項５の
　「撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，
　再生モードに入ったときに，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段と，
　消去指令が入力されたことに応答して，再生画像信号として出力されている画像データを上記記憶媒体から消去するように制御する消去制御手段とを設けたことを特徴とする電子スチル・カメラ。」を，
特許請求の範囲の減縮を目的として，
　「撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，
　再生モード・スイッチと，
　上記再生モード・スイッチにより，再生モードに入ったときに，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段と，
　消去指令が入力されたことに応答して，再生画像信号として出力されている画像データを上記記憶媒体から消去するように制御する消去制御手段とを備え，
　上記再生モード・スイッチが押され再生モードに入ったときに，最後に撮影した画像の識別番号を表示し，上記再生モード・スイッチが押されなければ演算した記録可能枚数を表示する数値表示部，
　をさらに備えていることを特徴とする電子スチル・カメラ。」と訂正し，新たな請求項５とする。
▲５▼訂正事項ｅ
　特許請求の範囲の請求項６の
　「撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，再生モード・スイッチ，およびこの再生モード・スイッチからの入力信号に応答して再生モードに入り，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段を備えたことを特徴とする電子スチル・カメラ。」を，
特許請求の範囲の減縮を目的として，
　「撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，
　再生モード・スイッチ，および
　この再生モード・スイッチからの入力信号に応答して再生モードに入り，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段を備え，
　上記再生モード・スイッチが押され再生モードに入ったときに，最後に撮影した画像の識別番号を表示し，上記再生モード・スイッチが押されなければ演算した記録可能枚数を表示する数値表示部，
　をさらに備えていることを特徴とする電子スチル・カメラ。」と訂正し，新たな請求項６とする。
▲６▼訂正事項ｆ
　訂正前の明細書（特許掲載公報第４欄第４８行から第５欄第１５行）の「第１の発明は，…特徴とする。」を，不明瞭な記載の釈明を目的として，
　「第１の発明は，情報記憶場所としてのクラスタが複数個設けられている記憶媒体に画像データを記憶するものであり，撮影された各画像に撮影の順序にしたがって連続番号がパケット番号として割り当てられ，１画像の画像データが１パケットとして１または複数個のクラスタにわたって記憶される電子スチル・カメラにおいて，再生モード・スイッチ，上記再生モード・スイッチからの入力信号に応答して，指定された１パケット分の画像データを上記記憶媒体から読出して再生画像信号として出力する再生制御手段，上記再生制御手段によって出力されている画像信号の上記パケット番号を表すデータを出力するパケット番号データ出力手段，記録チェック・モード・スイッチ，および上記記録チェック・モード・スイッチからの入力信号に応答して，最後に撮影された最終使用パケット番号の画像データを含む再生画像信号を出力するとともに，上記最終パケット番号を含むデータを出力する記録チェック制御手段を備え，上記再生モード・スイッチまたは上記記録チェック・モード・スイッチが押されると，出力されている画像信号に対応するパケット番号または最終使用パケット番号が表示され，上記再生モード・スイッチまたは上記記録チェック・モード・スイッチが押されなければ演算された記録可能枚数を表示する数値表示部をさらに備えていることを特徴とする。」と訂正する。
▲７▼訂正事項ｇ
　訂正前の明細書（特許掲載公報第５欄第３３行から第６欄第１行）の「第２の発明は，…設けたことを特徴とする。」を，不明瞭な記載の釈明を目的として，
　「第２の発明は，撮影モードにおいて，情報記憶場所としてのクラスタが複数個設けられている記憶媒体に画像データを記憶するときに，撮影した各画像に撮影の順序を示す連続番号をパケット番号として割り当て，１画像の画像データを１パケットとして１または複数個のクラスタにわたって記憶し，再生モードにおいては上記記憶媒体に記憶されている画像データを読出して再生画像信号として出力する電子スチル・カメラにおいて，再生モード・スイッチと，上記再生モード・スイッチにより再生モードに入ったときに，最後に撮影した画像の画像データを上記記憶媒体から読出して再生画像信号として出力するとともに，上記画像データに対応する最終パケット番号を表すデータを出力し，パケット番号の指定があったときに指定された１パケット分の画像データを上記記憶媒体から読出して再生画像信号として出力するとともに，出力した再生画像信号のバケット番号を表すデータを出力するように制御する再生制御手段と，消去指令が入力されたことに応答して，再生画像信号として出力されている画像データを上記記憶媒体から消去するように制御する消去制御手段とを備え，上記再生モード・スイッチが押され再生モードに入ったときに，最終パケット番号を表示し，上記再生モード・スイッチが押されなければ演算された記録可能枚数を表示する数値表示部をさらに備えていることを特徴とする。」と訂正する。
（５４）【発明の名称】
電子スチル・カメラ
（５７）【特許請求の範囲】
（１）情報記憶場所としてのクラスタが複数個設けられている記憶媒体に画像データを記憶するものであり，撮影された各画像に撮影の順序にしたがって連続番号がパケット番号として割り当てられ，１画像の画像データが１パケットとして１または複数個のクラスタにわたって記憶される電子スチル・カメラにおいて，
　再生モード・スイッチ，
　上記再生モード・スイッチからの入力信号に応答して，指定された１パケット分の画像ータを上記記憶媒体から読出して再生画像信号として出力する再生制御手段，
　上記再生制御手段によって出力されている画像信号の上記パケット番号を表すデータを出力するパケット番号データ出力手段，
　記録チェック・モード・スイッチ，および
　上記記録チェック・モード・スイッチからの入力信号に応答して，最後に撮影された最終使用パケット番号の画像データを含む再生画像信号を出力するとともに，上記最終パケット番号を含むデータを出力する記録チェック制御手段を備え，
　
上記再生モード・スイッチまたは上記記録チェック・モード・スイッチが押されると，出力されている画像信号に対応するパケット番号または最終使用パケット番号が表示され，上記再生モード・スイッチまたは上記記録チェック・モード・スイッチが押されなければ演算された記録可能枚数を表示する数値表示部，
　をさらに備えていることを特徴とする電子スチル・カメラ。
（２）撮影モードにおいて，情報記憶場所としてのクラスタが複数個設けられている記憶媒体に画像データを記憶するときに，撮影した各画像に撮影の順序を示す連続番号をパケット番号として割り当て，１画像の画像データを１パケットとして１または複数個のクラスタにわたって記憶し，再生モードにおいては上記記憶媒体に記憶されている画像データを読出して再生画像信号として出力する電子スチル・カメラにおいて，
　再生モード・スイッチと，
　上記再生モード・スイッチにより再生モードに入ったときに，最後に撮影した画像の画像データを上記記憶媒体から読出して再生画像信号として出力するとともに，上記画像データに対応する最終パケット番号を表すデータを出力し，パケット番号の指定があったときに指定された１パケット分の画像データを上記記憶媒体から読出して再生画像信号として出力するとともに，出力した再生画像信号のパケット番号を表すデータを出力するように制御する再生制御手段と，
　消去指令が入力されたことに応答して，再生画像信号として出力されている画像データを上記記憶媒体から消去するように制御する消去制御手段とを備え，
　
上記再生モード・スイッチが押され再生モードに入ったときに，最終パケット番号を表示し，上記再生モード・スイッチが押されなければ演算された記録可能枚数を表示する数値表示部，
　をさらに備えていることを特徴とする電子スチル・カメラ。
（３）上記パケット番号および上記画像データによって表わされる画像のうちの少なくとも一方を表示する表示装置をさらに備えた請求項１または２に記載の電子スチル・カメラ。
（４）撮影により得られた各画像に撮影の順序に応じて識別番号を割り当て，各画像の画像データを記憶媒体に記憶する電子スチル・カメラにおいて，
　再生モード・スイッチ，
　上記再生モード・スイッチからの入力信号に応答して，指定された画像の画像データを上記記憶媒体から読出して再生画像信号として出力する再生制御手段，
　上記再生制御手段によって出力されている画像信号の上記識別番号を表すデータを出力する識別番号データ出力手段，
　記録チェック・モード・スイッチ，および
　上記記録チェック・モード・スイッチからの入力信号に応答して，最後の撮影によって得られた画像データを含む再生画像信号を出力するとともに，最後に撮影された画像の識別番号を含むデータを出力する記録チェック制御手段を備え，
　
上記再生モード・スイッチまたは上記記録チェック・モード・スイッチが押されると，出力されている画像信号に対応する識別番号または最後に撮影された画像の識別番号が表示され，上記再生モード・スイッチまたは上記記録チェック・モード・スイッチが押されなければ演算された記録可能枚数を表示する数値表示部，
　をさらに備えていることを特徴とする電子スチル・カメラ。
（５）撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，
　再生モード・スイッチと，
　上記再生モード・スイッチにより，再生モードに入ったときに，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段と，
　消去指令が入力されたことに応答して，再生画像信号として出力されている画像データを上記記憶媒体から消去するように制御する消去制御手段とを備え，
　
上記再生モード・スイッチが押され再生モードに入ったときに，最後に撮影した画像の識別番号を表示し，上記再生モード・スイッチが押されなければ演算された記録可能枚数を表示する数値表示部，
　をさらに備えていることを特徴とする電子スチル・カメラ。
（６）撮影モードにおいて，撮影により得られた画像の画像データを記憶媒体に記憶するときに，各画像に撮影の順序に応じて識別番号を割り当て，再生モードにおいては上記記憶媒体に記憶されている画像データを読出して再生画像信号として出力する電子スチル・カメラにおいて，
　再生モード・スイッチ，および
　この再生モード・スイッチからの入力信号に応答して再生モードに入り，最後に撮影した画像の画像データを上記記憶媒体から読出して再生画像信号として出力するとともに，上記画像データに対応する識別番号を表すデータを出力し，識別番号の指定があったときに指定された画像の画像データを上記記憶媒体から読出して再生画像信号として出力するとともに，出力した再生画像信号の識別番号を表すデータを出力するように制御する再生制御手段を備え，
　
上記再生モード・スイッチが押され再生モードに入ったときに，最後に撮影した画像の識別番号を表示し，上記再生モード・スイッチが押されなければ演算された記録可能枚数を表示する数値表示部，
　をさらに備えていることを特徴とする電子スチル・カメラ。
（７）上記識別番号および上記画像データによって表わされる画像のうちの少なくとも一方を表示する表示装置をさらに備えた請求項４，５または６に記載の電子スチル・カメラ。
（８）上記記憶媒体が，電子スチル・カメラに着脱自在なメモリ・カードである，請求項１，２，４，５または６に記載電子スチル・カメラ。
【発明の詳細な説明】
　　　　　　　　　　　　　　　発明の背景
技術分野
　この発明は，撮影した被写体像を表わす画像データを記憶媒体に記憶し，かつ必要に応じて再生する電子スチル・カメラに関する。
従来技術とその問題点
　１つのメモリ・カードにできるだけ多くの数（枚数）の画像を記録できるようにするために，電子スチル・カメラでは，一般に，撮影した被写体像を表わす画像データをデータ圧縮した上でメモリ・カードに記録している。再生機能をもった電子スチル・カメラもあり，このカメラではメモリ・カードから画像データを読出してデータ伸張し，さらにＤ／Ａ変換等の処理により表示可能なアナログ映像信号として出力する。再生機能は，撮影した画像を編集するとき，画像の良否をチェックするとき，消去するとき等において有効に利用できることが望まれている。画像再生において表示装置に再生表示されている画像が一連の撮影活動の何番目の撮影でき記録したものかが分ると編集作業等に非常に便利である。
　　　　　　　　　　　　　　　発明の概要
発明の目的
　この発明は撮影した画像の編集，チェック，消去等のために便利な形態で画像を再生できる電子スチル・カメラを提供することを目的とする。
　第１の発明は，情報記憶場所としてのクラスタが複数個設けられている記憶媒体に画像データを記憶するものであり，撮影された各画像に撮影の順序にしたがって連続番号がパケット番号として割り当てられ，１画像の画像データが１パケットとして１または複数個のクラスタにわたって記憶される電子スチル・カメラにおいて，再生モード・スイッチ，上記再生モード・スイッチからの入力信号に応答して，指定された１パケット分の画像データを上記記憶媒体から読出して再生画像信号として出力する再生制御手段，上記再生制御手段によって出力されている画像信号の上記パケット番号を表すデータを出力するパケット番号データ出力手段，記録チェック・モード・スイッチ，および上記記録チェック・モード・スイッチからの入力信号に応答して，最後に撮影された最終使用パケット番号の画像データを含む再生画像信号を出力するとともに，上記最終パケット番号を含むデータを出力する記録チェック制御手段
を備え，上記再生モード・スイッチまたは上記記録チェック・モード・スイッチが押されると，出力されている画像信号に対応するパケット番号または最終使用パケット番号が表示され，上記再生モード・スイッチまたは上記記録チェック・モード・スイッチが押されなければ演算された記録可能枚数を表示する数値表示部をさらに
　第１の発明によると，再生モード・スイッチが操作され，再生すべき所望の駒が指定されると，その駒の画像を表わす再生画像信号およびこの再生画像信号のパケット番号を表わすデータが出力される。出力された再生画像信号およびパケット番号を表わすデータが表示装置に与えられることにより，画像およびパケット番号が表示される。操作者は表示装置に再生表示されている画像が一連の撮影活動の何番目の撮影で記録したものかを知ることができ，効率よく編集作業等をすることができる。
　記録チェック・モード・スイッチが操作されると，最後に撮影された画像を含む再生画像信号および最終使用パケット番号が出力される。再生画像信号が表示装置に与えられることにより，最後に撮影した画像をすぐに確認することができる。そして，不要な画像があればそれをその場で消去することもできる。
　最終使用パケット番号も表示されるので，最後の画像が何番目の画像かもすぐに分かる。
　第２の発明は，撮影モードにおいて，情報記憶場所としてのクラスタが複数個設けられている記憶媒体に画像データを記憶するときに，撮影した各画像に撮影の順序を示す連続番号をパケット番号として割り当て，１画像の画像データを１パケットとして１または複数個のクラスタにわたって記憶し，再生モードにおいては上記記憶媒体に記憶されている画像データを読出して再生画像信号として出力する電子スチル・カメラにおいて，再生モード・スイッチと，上記再生モード・スイッチにより再生モードに入ったときに，最後に撮影した画像の画像データを上記記憶媒体から読出して再生画像信号として出力するとともに，上記画像データに対応する最終パケット番号を表すデータを出力し，パケット番号の指定があったときに指定された１パケット分の画像データを上記記憶媒体から読出して再生画像信号として出力するとともに，出力した再生画像信号のパケット番号を表すデータを出力するように制御する再生制御手段と，消去指令が入力されたことに応答して，再生画像信号として出力されている画像データを上記記憶媒体から消去するように制御する消去制御手段
とを備え，上記再生モード・スイッチが押され再生モードに入ったときに，最終パケット番号を表示し，上記再生モード・スイッチが押されなければ演算された記録可能枚数を表示する数値表示部をさらに備えている
　第２の発明によると，再生モードに入ったときには最後に撮影した画像の画像データが上記記憶媒体から読み出され再生画像信号として出力され，かつ上記画像データに対応する最終パケット番号を表わすデータが出力される。出力される再生画像信号および最終パケット番号を表わすデータが表示装置に与えられることにより，最後に撮影した画像がそのパケット番号とともに表示される。所望の駒の画像を再生するときには，その駒のパケット番号を指定する。指定されたパケット番号画像データおよびパケット番号を表わすデータが出力され，表示装置に与えられることにより所望の画像がパケット番号ととにも表示される。最後に撮影した画像を含む所望の画像を確認することができ，不要であれば消去命令を入力することにより消去することができる。
　上記において，パケット番号は一般的に識別番号ということができ，それは各画像の撮影の順序に応じて割り当てられる。
　上記パケット番号または識別番号および上記画像データによって表わされる画像のうちの少なくとも一方を表示する表示装置を電子スチル・カメラに設けてもよい。
　上記記憶媒体は，電子スチル・カメラに着脱自在であっもてよい。
　　　　　　　　　　　　　　　実施例の説明
　第１図はこの発明の実施例を示すもので，撮影した被写体像を表わす画像データをメモリ・カードに記録するディジタル電子スチル・カメラの電気的構成を示すブロック図である。
　ディジタル電子スチル・カメラ２０の全体の動作はシステム・コントローラ２１によって統括される。
　ディジタル電子スチル・カメラ２０は，再生モードにおいて再生されている画像データのパケット番号（識別番号），メモリ・カード５０に記録された画像データ（音声データを含む）の記録枚数，メモリ・カード５０に記録することができる残り記録可能枚数，メモリ・カード５０の記憶容量に対する残容量の割合等を表示することができ，そのために第４図に示すような液晶表示器４１が含まれている。これらの表示を制御するためにディジタル電子スチル・カメラ２０には表示ＣＰＵ３０が含まれており，システム・コントローラ２１とバス接続されている。
　ディジタル電子スチル・カメラ２０には各種スイッチ等３１〜４０が含まれている。すなわち，パワー・スイッチ３１，シャッタ・レリーズ・ボタン３２，メモリ・カード５０に記録されている画像データを再生映像信号として出力するときに押される再生モード・スイッチ３３，順送りのためのフォワード・スイッチ３４，逆送りのためのリバース・スイッチ３５，メモリ・カード５０に記録されている所定のデータを消去するための消去スイッチ３６，画像データの圧縮率を設定する圧縮率設定器３７，記録済枚数を表示させるときに押される記録枚数表示スイッチ３８，メモリ・カード５０の残容量を表示させるときに押される残容量表示スイッチ３９等である。最後に撮影された画像データを再生出力しかつそのパケット番号を表示させるときに押される記録チェック・モード・スイッチ４０を設けてもよい。これらのスイッチ３１〜４０等が押されもしくは操作されたことを表わすまたは設定されたデータを表わす入力信号は表示ＣＰＵ３０に入力する。
　パワースイッチ３１による電源投入後，シャッタ・レリーズ・ボタン３２が押されると，ＣＣＤを含む撮像光学系（図示略）により被写体が撮像され，この被写体像を表わすスチル・ビデオ信号はアナログ／ディジタル変換回路１１に入力しディジタル信号（画像データ）に変換されて出力される。この画像データはメモリ・コントローラ１０を介してフレーム・メモリ１２に入力し一旦記憶される。
　ディジタル電子スチル・カメラは音声を記録することもできる。マイクロフォン２３から入力した音声信号は，アナログ／ディジタル変換回路２４に入力しディジタル信号（音声データ）に変換される。この音声データはメモリ２５に一旦記憶される。
　フレーム・メモリ１２に一旦記憶された画像データはメモリ・コントローラ１０の制御の下に順次走査の順序で読出され，必要ならばフィールド／フレーム変換されたのち，輝度信号／色信号（Ｙ／Ｃ）処理回路１６に入力する。輝度信号／色信号処理回路１６は入力する画像データから輝度（Ｙ）データおよび色（Ｃ）データを生成する。これらの輝度データおよび色データは再びフレーム・メモリ１２に与えられて記憶される。
　再びフレーム・メモリ１２に記憶された後，フレーム・メモリ１２から画像データが読出されＤＣＴ／逆ＤＣＴ変換回路１４に与えられる。ＤＣＴ／逆ＤＣＴ変換回路１４は画像データをＤＣＴ（Ｄｉｓｃｒｅｔｅ　Ｃｏｓｉｎｅ　Ｔｒａｎｓｆｏｒｍａｔｉｏｎ）変換，逆ＤＣＴ変換により圧縮，伸張する回路である。ＤＣＴ変換されることにより，１駒分の画像データ量が少なくなるので，メモリ・カード５０に記録できる駒数が増加する。圧縮された画像データは再びフレーム・メモリ１２に与えられて記憶される。
　再びフレーム・メモリ１２に記憶された後，フレーム・メモリ１２から圧縮された画像データが読出され符号化／復号化回路１３に与えられる。メモリ２５に記憶された音声データもメモリ・コントローラ１０によって読出され，符号化／復号化回路１３に与えられる。これらの画像データおよび音声データは符号化／復号化回路１３で符号化されながらカード・インタフェイス１５を介してメモリ・カード５０に与えられ，後述するように１または複数のクラスタに記録される。
　再生モード・スイッチ３３が押されると，メモリ・カード５０に記録されている画像データが外部に再生出力される。このときには，再生されるべき画像データはメモリ・カード５０からカード・インタフェイス１５を介して符号化／復号化回路１３に与えられ，復号化されてフレーム・メモリ１２に記憶される。その後，画像データはフレーム・メモリ１２から読出されてＤＣＴ／逆ＤＣＴ変換回路１３に与えられ，逆ＤＣＴ変換が行なわれる。そして再びフレーム・メモリ１２に記憶された後，輝度信号／色信号処理回路１６を介してディジタル／アナログ信号変換回路１７に与えられる。メモリ・カード５０から読出された音声データも符号化／復号化回路１３によって復号され，ディジタル／アナログ変換回路１７に入力する。ディジタル／アナログ変換回路１７によって変換されたアナログ信号は信号処理回路１８に与えられ，所定の処理を加えられたのち出力端子１９Ａおよび１９Ｂから音声信号および映像信号として出力される。
　ディジタル電子スチル・カメラ２０には，メモリ・カード５０の装着を検出するメモリ・カード検出スイッチ２２が含まれている。カメラ２０にメモリ・カード５０が装着されるとスイッチ２２がオンとなり，そのオン信号が表示ＣＰＵ３０に与えられる。これより表示ＣＰＵ３０は液晶表示器４１にメモリ・カード５０が装着されている旨の表示を行なうよう制御する。
　さらにシステム・コントローラ２１にはカウンタ２１Ａが含まれており，このカウンタによってメモリ・カード５０における記録枚数をカウントする。このカウント値はシャッタ・レリーズ・ボタン３２が押され撮影，記録処理が行なわれる毎にインクレメントされ，消去モード・スイッチ３６の入力に応答して消去処理が行なわれる毎にデクレメントされる。
　メモリ・カード５０の記憶領域は第２図に示すように単位記憶領域としてのクラスタに分割されている。１クラスタは所定バイト数，たとえば８Ｋバイトの容量をもつ。またこの記憶領域をカード管理領域と情報記憶領域とに分けることができる。クラスタ０とクラスタ１（この０，１等はクラスタ番号を表わす）がカード管理領域に，その他のクラスタが情報記憶領域に割当てられている。情報記憶領域に画像データおよび音声データが記録され，管理領域に情報記憶領域に記録されているデータを管理するデータが記録されている。
　情報記憶領域に記憶される画像データおよび音声データは１または複数のクラスタを使用して記憶されている。１枚の画像（音声）を記憶するために用いられる１または複数のクラスタの集まりをパケットという。１パケットに含まれるクラスタの数は定まっておらず，設定される圧縮率などに応じた任意の数（整数）となる。たとえばクラスタ２から４までで１つの画像データを記録しており，これらのクラスタ２から４が１パケットである。
　管理領域には，ヘッダ，パケット属性，パケット関連情報，ディレクトリおよびＭＡＴ（ＭｅｍｏｒｙＡｌｌｏｃａｔｉｏｎ　Ｔａｂｌｅ）がそれぞれ格納される。
　第３図に示すようにヘッダにはフォーマット番号，カード番号，未使用クラスタ数，使用クラスタ数，最終使用パケット番号，先頭未使用クラスタ番号，パリティ・チェック・データ，カード・ラベルおよびオプション・データがそれぞれ格納される。未使用クラスタ数は未記録のクラスタ数を示し，使用クラスタ数は記録済のクラスタ数を示し，最終使用パケット番号は情報記憶領域に記憶されているパケットのうち最も大きなパケットの番号を示し，先頭未使用クラスタ番号は情報記憶領域における未使用クラスタのうち最も小さい番号を示し，パリティ・チェック・データはデータ内容の検査を行なうためのものである。パケット番号は撮影の順序にしたがって各画像（音声）に与えられる連続番号であり，この実施例では０から始まる。画像が消去されるとパケット番号は順次つめられる。
　パケット属性にはパケットの使用状態，上書きの可否，コピーの可否，読出しの可否などを示すデータがたとえばビット・マップ方式で格納される。
　ある画像パケットに関連する音声パケットがあるときに，画像パケットの関連情報としてその音声パケットの番号が記憶されている。
　ディレクトリには第４図に示すようにパケット番号順に各パケットを構成するクラスタの先頭クラスタ番号が格納されている。
　ＭＡＴには第５図（Ａ）に示すように各クラスタのＭＡＴ，すなわち各クラスタに関連するクラスタの番号（当該クラスタとともにパケットを構成するクラスタの番号）が格納されている。たとえばパケット番号１２の画像データがクラスタ２３，２４，３０および４０に記録されているものとする。その画像データを読出す場合，ディレクトリによってパケット番号１２の先頭クラスタ番号２３が検索される。次にＭＡＴにもとづいて先頭クラスタ２３の関連クラスタ番号２４，３０および４０が検索される（第５図（Ｂ）参照）。各クラスタの情報記憶領域におけるアドレスはクラスタごとに一義的に定められている。
　第６図は液晶表示器４１の表示例を示している。液晶表示器４１にはカード表示部ａ，カード内蔵電池表示部ｂ，数値表示部。，圧縮率表示部ｄ，残容量表示部ｅ，日付表示部ｆ，電池表示部ｇ，ホワイト・バランス表示部ｈがある。
　カード表示部ａにはカメラにメモリ・カードが装着されているときに「ＣＡＲＤ」の文字が表示され，カード内蔵電池表示部ｂにはメモリ・カード内蔵電池の容量が充分あるかどうかが表示される。
　数値表示部ｃには記録枚数，記録可能枚数，パケット番号などが表示される。
　圧縮率表示部ｄには圧縮率設定スイッチ３７によって設定された圧縮率が横線の数でグラフィック表示される。すなわち，１本，２本，３本および４本の横線がそれぞれ０．５ＢＩＴ／ＰＥＬ，１ＢＩＴ／ＰＥＬ，２ＢＩＴ／ＰＥＬおよび４ＢＩＴ／ＰＥＬの圧縮率を表わしている。第７図（Ａ）は４ＢＩＴ／ＰＥＬ，第７図（Ｂ）は２ＢＩＴ／ＰＥＬの圧縮率を表わしている。ＢＩＴ／ＰＥＬ．は１画素当りに必要なビット数を表わす。
　残容量表示部ｅにはメモリ・カード５０の残容量がグラフィック表示される。残容量表示部ｅは第８図（Ａ），（Ｂ）に示すように残容量をＯから１０までのポイントで表わすものである。第８図（Ａ）は残容量が１００％のとき，第８図（Ｂ）は残容量がほぼ７０％のときをそれぞれ示している。
　日付表示部ｆには日付が表示される。電池表示部にはカメラ内蔵の電池の容量が充分あるときに電池の形状が表示される。ホワイト・バランス表示部ｈには操作者によって設定されたホワイト・バランス動作が文字または矢印で指された図形によって表示される。
　第９図はシステム・コントローラ２１により行なわれるカメラ全体の動作の処理手順を示している。
　ＲＡＭのクリア処理等を含む初期設定（ステップ５１）ののち，パワー・スイッチ３１が押されていれば液晶表示器４１の表示制御処理に進む（ステップ５３）。次にスイッチ等３２〜４０の状態が判定される（ステップ５４）。スイッチ等３２〜４０からスイッチ入力等があるとそれに対応した処理に進む。
　第１０図は再生モードの処理手順を示している。再生モード・スイッチ３３が押されると，最後に撮影された画像のパケット番号がメモリ・カード５０のヘッダ領域から読出される（ステップ５５）。このパケット番号の先頭クラスタ番号がディレクトリから読出される。先頭クラスタの関連クラスタがＭＡＴから読出される。これより，最後に撮影された画像のパケットを構成するクラスタに記憶されている画像データ（および／または音声データ）が読出される（ステップ５６）。読出された画像データ（音声データ）は上述した所定の処理を加えられたのち出力端子１９Ｂ（１９Ａ）から出力される（ステップ５７）。出力された信号は出力端子１９Ｂに接続された表示装置に可視表示される。また液晶表示器４１の数値表示部ｃに，出力されている映像信号に対応するパケット番号が表示される（ステップ５８）。
　フォワード・スイッチ３４またはリバース・スイッチ３５が押されると（ステップ５９），再生すべき画像（音声）のパケット番号がインクレメントまたはデクレメントされ，そのパケット番号の画像（音声）の再生およびパケット番号の表示が行なわれる（ステップ５５〜５８）。再生すべきパケット番号をテンキーで指定するようにしてもよい。　再生モード・スイッチ３３が押されたときに必ずしも常に最後に撮影された画像データ（音声データ）を再生出力する必要はない。また記録チェック・モード・スイッチ４０を設け，このスイッチ４０が押されたときにのみ最後に撮影された画像データ（音声データ）を再生出力し，そのパケット番号を表示するようにしてもよい。
　第１１図は撮影した画像データのメモリ・カード５０への記録時の処理手順を示している。
　シャッタ・レリーズ・ボタン３２が押され上述した撮影，信号処理ののち被写体像を表わす画像データがメモリ・カード５０に記録されるとカウンタ２１Ａの記録枚数がインクレメントされる（ステップ６１）。また後述するようにメモリ・カード５０に記録することができる記録可能枚数が演算されかつ記憶される（ステップ６２）。この記録可能枚数演算は設定器３７によって圧縮率が変更されたときにも行なわれる。
　第１２図はメモリ・カード５０に記録されているデータの消去の処理手順を示している。
　消去モード・スイッチ３６によって消去モードが設定され，フォワード・スイッチ３４およびリバース・スイッチ３５を用いて指定された画像データが消去されると，記録枚数を減らすためにカウンタ２１Ａがデクレメントされる（ステップ６３）。消去により空のクラスタ（未使用クラスタ）が生じるのでメモリ・カード５０に記録することができる記録可能枚数が再演算される（ステップ６４）。
　記録可能枚数は，圧縮率設定スイッチ３７に設定されている圧縮率で記録できる枚数を意味する。第１３図を参照して，メモリ・カード５０のヘッダに記憶されている未使用クラスタ数を，設定されている圧縮率を用いて１画像を記録するのに必要なクラスタ数で除すことにより記録可能枚数が演算される（ステップ６５）。続いて残容量演算が行なわれる（ステップ６６）。
　残容量演算の処理手順が第１４図に示されている。この図には残容量のグラフィック表示の処理手順も示されている。
　残容量演算ではメモリ・カード５０のヘッダに記憶されている使用クラスタ数と未使用クラスタ数とからメモリ・カード５０の情報記憶領域の総クラスタ数が算出される（ステップ７１）。次に算出された総クラスタ数に対する未使用クラスタ数の百分率が残容量として算出される（ステップ７２）。この演算結果（残容量）が０ならば液晶表示器４１の残容量表示部ｅの表示は消される（ステップ７３，７４）。残容量が１０以下の場合には残容量表示部ｅは１ポイントのみ表示される（ステップ７５，７６）。残容量が１０を越えかつ２０以下の場合には残容量表示部ｅは２ポイントのみ表示される（ステップ７７，７８）。残容量が２０を越えかつ３０以下の場合には残容量表示部ｅは３ポイント表示される（ステップ７９，８０）。残容量が３０を越えかつ４０以下の場合には残容量表示部ｅには４ポイント表示される（ステップ８１，８２）。残容量が４０を越えかつ５０以下の場合には残容量表示部ｅには５ポイント表示される（ステップ８３，８４）。残容量が５０を越えかつ６０以下の場合には残容量表示部ｅには６ポイント表示される（ステップ８５，８６）。残容量が６０を越えかつ７０以下の場合には残容量表示部ｅには７ポイント表示される（ステップ８７，８８）。残容量が７０を越えかつ８０以下の場合には残容量表示部ｅには８ポイント表示される（ステップ８９，９０）。残容量が８０を越えかつ９０以下の場合には残容量表示部ｅには９ポイント表示される（ステップ９１，９２）。残容量が９０を越えると残容量表示部ｅには全ポイント表示される（ステップ９３，９４）。
　残容量表示部ｅにおけるメモリ・カード５０の残容量の表示は残容量表示スイッチ３９が押されたときのほか，メモリ・カード５０がカメラ２０に装着されカード検知スイッチ２２がオンとなったときにも行なわれる（第１５図，ステップ６７）。これにより撮影前にメモリ・カード５０の残容量をあらかじめ知ることができる。メモリ・カード５０がカメラ２０に装着されたときにはメモリ・カード５０のカード管理領域の必要なデータが読出され，カメラ２０のメモリに設定される。またそのメモリ・カード２０の記録枚数が算出され，カウンタ２１Ａにプリセットされる。
　第１６図は液晶表示器４１の表示を制御する表示ＣＰＵ３０の処理手順を示している。
　液晶表示器４１は，常に日付表示部ｆによる日付表示を行なっている（ステップ１０１）。撮影者により撮影が行なわれその記録状況を確認したいときには，再生モード・スイッチ３３または記録チェック・モード・スイッチ４０が押される。これらのスイッチ３３または４０が押されるとその入力が表示ＣＰＵ３０に与えられ，システム・コントローラ２１にもその旨が知らされる。これにより再生が許可され（ステップ１０３），上述したように再生モード（第１０図）に移り，カメラ２０に装着されているメモリ・カード５０のヘッダに記憶されている最終使用パケット番号が読出される。そしてこの読出された最終パケット番号が表示ＣＰＵ３０の制御のもとに液晶表示器４１の番号表示部ｃに表示される。また最終パケット番号のパケットに記憶されている画像データがメモリ・カード５０から読出され，インタフェイス１５，符号化／逆符号化回路１３，ＤＣＴ／逆ＤＣＴ変換回路１４，メモリ・コントローラ１０，フレーム・メモリ１２，輝度信号／色信号処理回路１６，Ｄ／Ａ変換回路１７，信号処理回路１８および出力端子１９Ａまたは１９Ｂを介して外部に出力される。これによりカメラ２０に接続された外部表示装置に最後に記録した被写体像が表示され，記録画像の良否をチェックすることができる（ステップ１０４）。もちろん，カメラ２０に表示装置を設けておいてもよい。
　操作者によりスイッチ３３または４０が押されなければ，メモリ・カード５０からの被写体像を表わす画像データの読出しは禁止される（ステップ１０５）。常時は既に算出されかつ記憶されている（第１１〜１３図）記録可能枚数が数値表示部ｃに表示されている（ステップ１０８）。操作者によって記録枚数表示スイッチ３８が押されるとカウンタ２１Ａのカウント値である記録枚数が読出され，液晶表示器４１の数値表示部ｃに表示される（ステップ１０７）。
【図面の簡単な説明】
　第１図はディジタル電子スチル・カメラの電気的構成を示すブロック図である。
　第２図はメモリ・カードの記憶領域のフォーマットを示している。
　第３図はヘッダの内容を，第４図はディレクトリの内容を，第５図（Ａ）はＭＡＴの内容を示し，第５図（Ｂ）はＭＡＴを用いてパケットを構成するクラスタの番号が読出される様子を示している。　第６図は液晶表示器の正面図，第７図（Ａ），（Ｂ）は液晶表示器の圧縮率表示部を，第８図（Ａ），（Ｂ）は液晶表示器の残容量表示部をそれぞれ示している。
　第９図はシステム・コントローラの主な処理手順を示すフロー・チャート，第１０図は再生モードの処理手順を示すフローチャート，第１１図は記録モードの処理手順を示すフローチャート，第１２図は消去モードの処理手順を示すフロー・チャート，第１３図は記録可能枚数演算の処理手順を示すフロー・チャート，第１４図は残容量演算の処理手順を示すフロー・チャート，第１５図はメモリ・カードがカメラに装着されたときの処理手順を示すフロー・チャート，第１６図は液晶表示器の表示制御の処理手順を示すフロー・チャートである。
　　２１…システム・コントローラ，
　　２２…カード検知スイッチ，
　　２３…マイクロフォン，
　　３０…表示ＣＰＵ，
　　３３…再生モード・スイッチ，
　　３６…消去モード・スイッチ，
　　３７…圧縮率設定スイッチ，
　　３８…記録枚数表示スイッチ，
　　３９…残容量表示スイッチ，
　　４０…記録チェック・モード・スイッチ，
　　４１…液晶表示器，
　　５０…メモリ・カード。